【手続補正書】
【提出日】平成28年7月29日(2016.7.29)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な可変表示部を複数備え、
前記可変表示部を変動表示した後、前記可変表示部の変動表示を停止することで表示結果を導出し、複数の可変表示部の表示結果の組合せに応じて入賞が発生可能なスロットマシンにおいて、
表示結果が導出される前に、遊技者にとって有利な特別遊技状態への移行を伴う表示結果の組合せである特別表示結果組合せと、前記特別表示結果組合せとは異なる第１表示結果組合せと第２表示結果組合せとを含む複数種類の表示結果の組合せについて導出を許容する決定を行なう事前決定手段と、
前記可変表示部の変動表示を停止させるための操作を受付ける導出操作受付手段と、
前記事前決定手段の決定結果と前記導出操作受付手段の操作に応じて、表示結果を導出する制御を行なう導出制御手段と、
前記事前決定手段によって前記特別表示結果組合せの導出を許容する旨が決定され、前記特別表示結果組合せが導出されなかったときに、前記特別表示結果組合せの導出を許容する旨の決定を以降に持ち越す持越手段と、
前記事前決定手段の決定結果に応じて、当該決定結果を示唆するための示唆演出を実行する示唆演出実行手段と、
遊技用価値を付与可能な遊技用価値付与手段とを備え、
前記導出制御手段は、
前記事前決定手段の決定結果が前記第１表示結果組合せと前記第２表示結果組合せとの導出を許容する旨が決定されかつ前記特別表示結果組合せの導出を許容しない旨が決定された特定決定結果となり、前記特定決定結果に対応する特定操作順序で操作されたときには、前記第１表示結果組合せを導出し、前記特定操作順序以外の操作順序で操作されたときには、前記第１表示結果組合せを導出しない制御を行ない、
前記事前決定手段の決定結果が前記特定決定結果となり前記特定操作順序以外の操作順序であって、前記第２表示結果組合せに対応する特定操作タイミングで操作されたときには、前記第２表示結果組合せを導出し、前記特定操作タイミング以外のタイミングで操作されたときには、前記第１表示結果組合せとも前記第２表示結果組合せとも異なる第３表示結果組合せを導出する制御を行ない、
前記事前決定手段の決定結果が前記第１表示結果組合せと前記第２表示結果組合せとの導出を許容する旨が決定されかつ前記特別表示結果組合せの導出を許容する旨が決定された特別決定結果となったときには、操作順序に関わらず、前記第１表示結果組合せを導出する制御を行ない、
前記事前決定手段の決定結果が前記第１表示結果組合せの導出を許容する旨が決定されかつ前記第２表示結果組合せおよび前記特別表示結果組合せのいずれの導出も許容しない旨が決定された所定決定結果となったときには、操作順序に関わらず、前記第１表示結果組合せを導出する制御を行ない、
前記示唆演出実行手段は、
前記事前決定手段の決定結果が前記所定決定結果となったときに、操作順序に関わらず前記第１表示結果組合せが導出されることを示唆する所定の示唆演出を実行し、
前記事前決定手段の決定結果が前記特別決定結果となったときに前記所定の示唆演出と同様の示唆演出を実行し、
前記遊技用価値付与手段は、
前記第１表示結果組合せが導出されたとき、および前記第２表示結果組合せが導出されたときに、遊技用価値を付与し、
前記第３表示結果組合せが導出されたときに、遊技用価値を付与しない、スロットマシン。
【手続補正２】
【補正対象書類名】明細書
【補正対象項目名】０００１
【補正方法】変更
【補正の内容】
【０００１】
本発明は、たとえば、スロットマシンに関する。詳しくは、各々が識別可能な複数種類の識別情報を変動表示可能な可変表示部を複数備え、前記可変表示部を変動表示した後、前記可変表示部の変動表示を停止することで表示結果を導出し、複数の可変表示部の表示結果の組合せに応じて入賞が発生可能なスロットマシンに関する。
【手続補正３】
【補正対象書類名】明細書
【補正対象項目名】０００９
【補正方法】変更
【補正の内容】
【０００９】
（１）  各々が識別可能な複数種類の識別情報を変動表示可能な可変表示部を複数備え、
前記可変表示部を変動表示した後、前記可変表示部の変動表示を停止することで表示結果を導出し、複数の可変表示部の表示結果の組合せに応じて入賞が発生可能なスロットマシン（スロットマシン１）において、
表示結果が導出される前に、遊技者にとって有利な特別遊技状態への移行を伴う表示結果の組合せである特別表示結果組合せ（特別役）と、前記特別表示結果組合せとは異なる第１表示結果組合せと第２表示結果組合せとを含む複数種類の表示結果の組合せについて導出を許容する決定を行なう事前決定手段（内部抽選）と、
前記可変表示部の変動表示を停止させるための操作を受付ける導出操作受付手段（ストップスイッチ８Ｌ、８Ｃ、８Ｒ）と、
前記事前決定手段の決定結果と前記導出操作受付手段の操作に応じて、表示結果を導出する制御を行なう導出制御手段（停止操作によりリールを停止させるための処理、図７参照）と、
前記事前決定手段によって前記特別表示結果組合せの導出を許容する旨が決定され、前記特別表示結果組合せが導出されなかったときに、前記特別表示結果組合せの導出を許容する旨の決定を以降に持ち越す持越手段（当選フラグを無効とせずに次のゲームへ持ち越す処理）と、
前記事前決定手段の決定結果に応じて、当該決定結果を示唆するための示唆演出を実行する示唆演出実行手段と、
遊技用価値を付与可能な遊技用価値付与手段とを備え、
前記導出制御手段は、
前記事前決定手段の決定結果が前記第１表示結果組合せと前記第２表示結果組合せとの導出を許容する旨が決定されかつ前記特別表示結果組合せの導出を許容しない旨が決定された特定決定結果となり（小役ＧＲ（１）〜（９）のうちいずれかに当選）、前記特定決定結果に対応する特定操作順序で操作されたときには、前記第１表示結果組合せを導出し、前記特定操作順序以外の操作順序で操作されたときには、前記第１表示結果組合せを導出しない制御を行ない、
前記事前決定手段の決定結果が前記特定決定結果となり前記特定操作順序以外の操作順序であって、前記第２表示結果組合せに対応する特定操作タイミングで操作されたときには、前記第２表示結果組合せを導出し、前記特定操作タイミング以外のタイミングで操作されたときには、前記第１表示結果組合せとも前記第２表示結果組合せとも異なる第３表示結果組合せを導出する制御を行ない、
前記事前決定手段の決定結果が前記第１表示結果組合せと前記第２表示結果組合せとの導出を許容する旨が決定されかつ前記特別表示結果組合せの導出を許容する旨が決定された特別決定結果となったときには（小役ＧＲ（１）〜（９）のうちいずれかに当選しており、かつ特別役に当選しているとき）、操作順序に関わらず、前記第１表示結果組合せを導出する制御を行ない（図７（ｂ）参照）、
前記事前決定手段の決定結果が前記第１表示結果組合せの導出を許容する旨が決定されかつ前記第２表示結果組合せおよび前記特別表示結果組合せのいずれの導出も許容しない旨が決定された所定決定結果となったときには、操作順序に関わらず、前記第１表示結果組合せを導出する制御を行ない、
前記示唆演出実行手段は、
前記事前決定手段の決定結果が前記所定決定結果となったときに、操作順序に関わらず前記第１表示結果組合せが導出されることを示唆する所定の示唆演出を実行し、
前記事前決定手段の決定結果が前記特別決定結果となったときに前記所定の示唆演出と同様の示唆演出を実行し、
前記遊技用価値付与手段は、
前記第１表示結果組合せが導出されたとき、および前記第２表示結果組合せが導出されたときに、遊技用価値を付与し、
前記第３表示結果組合せが導出されたときに、遊技用価値を付与しない。
なお、以下の構成を備えるものでもよい。
遊技用価値を用いて１ゲームに対して賭数を設定することによりゲームが開始可能となるとともに、複数種類の図柄を所定の配列に従って変動表示させる可変表示領域を複数有する可変表示装置に表示結果が導出されることにより１ゲームが終了し、該可変表示装置の表示結果に応じて入賞が発生可能とされたスロットマシン（スロットマシン１）であって、
前記可変表示装置に表示結果が導出される前に、遊技者にとって有利な特別遊技状態への移行を伴う特別入賞（特別役）と遊技用価値の付与を伴う付与入賞（小役）とを含む複数種類の入賞について発生を許容するか否かを決定する事前決定手段（内部抽選）と、
前記可変表示領域において図柄を停止させるための操作を、前記複数の可変表示領域毎に受付ける導出操作受付手段（ストップスイッチ８Ｌ、８Ｃ、８Ｒ）と、
前記事前決定手段の決定結果および前記導出操作受付手段が受付けた操作に応じて、前記可変表示装置に表示結果を導出させる制御を行なう手段であって、前記複数の可変表示領域すべてにおいて前記複数種類の図柄が変動表示されている段階から、前記導出操作受付手段が操作を受付ける毎に、当該操作に対応する可変表示領域に変動表示されている図柄を基準として所定の引込み可能範囲内（４コマ）に配列された図柄のいずれかを停止させることにより当該可変表示領域における変動表示が停止されている段階に更新させる導出制御手段（停止操作によりリールを停止させるための処理、図７参照）と、
前記特別入賞の発生を許容する旨が決定され、該特別入賞が発生しなかったときに、当該特別入賞の発生を許容する旨の決定を次ゲーム以降に持ち越す持越手段（当選フラグを無効とせずに次のゲームへ持ち越す処理）とを備え、
前記付与入賞は、
入賞を発生させる入賞表示結果が、前記複数の可変表示領域すべてにおいて前記引込み可能範囲内に配列されている図柄の組合せから構成されている範囲内付与入賞（ベル）と、
入賞を発生させる入賞表示結果が、前記複数の可変表示領域のうちの少なくとも一の可変表示領域において前記引込み可能範囲内に配列されていない図柄を含む図柄の組合せから構成されている範囲外付与入賞（小役（１）〜（９））とを含み、
前記導出制御手段は、
前記事前決定手段の決定結果が、前記範囲内付与入賞と前記範囲外付与入賞との発生を許容する旨の決定結果であって許容されている入賞の種類が異なる複数種類の特定結果のうち前記特別入賞の発生が許容されていないいずれかの特定結果となった場合（小役ＧＲ（１）〜（９）のうちいずれかに当選）、予め定められた第１の段階（すべてのリールが回転している段階）において前記複数の可変表示領域のうち当該特定結果の種類に対応する可変表示領域の変動表示を停止させるための特定手順（図７（ａ）においてベルを入賞させるためのリールを第１停止させる手順）で前記導出操作受付手段により操作が受付けられたときには、当該可変表示領域に、前記範囲外付与入賞を発生させるための図柄よりも前記範囲内付与入賞を発生させるための図柄を優先して停止させ（ベル入賞）、前記第１の段階において前記特定手順と異なる手順で前記導出操作受付手段により操作が受付けられたときには、当該可変表示領域に、前記範囲内付与入賞を発生させるための図柄よりも、前記第１の段階以後の予め定められた第２の段階における操作手順に応じて入賞を発生させるための図柄が停止されない範囲外付与入賞を発生させるための図柄を優先して停止させ（小役（１）〜（９）などの図柄を優先）、
前記事前決定手段の決定結果が、前記複数種類の特定結果のうち前記特別入賞の発生が許容されているいずれかの特定結果となった場合（小役ＧＲ（１）〜（９）のうちいずれかに当選しており、かつ特別役に当選しているとき）、前記第１の段階において受付けられる操作の手順に関わらず、前記特別入賞を発生させるための図柄および前記範囲外付与入賞を発生させるための図柄各々よりも、前記範囲内付与入賞を発生させるための図柄を優先して停止させる（図７（ｂ）参照）。
【手続補正４】
【補正対象書類名】明細書
【補正対象項目名】０２１１
【補正方法】変更
【補正の内容】
【０２１１】
また、前述のようにＲＴ（０）においてリプレイ（２）が入賞すると、遊技者にとって有利なＲＴ（２）へ移行する一方、リプレイ（３）〜（８）が入賞すると、ＲＴ（２）への移行が期待できないＲＴ（１）に移行することとなる。リプレイ（２）、リプレイ（３）〜（８）はともにリプレイＧＲ（１）〜（６）が当選した際に入賞する可能性がある。
【手続補正５】
【補正対象書類名】明細書
【補正対象項目名】０２１９
【補正方法】変更
【補正の内容】
【０２１９】
これに対してサブＣＰＵ９１ａは、ＲＴ（０）においてリプレイＧＲ（１）〜（６）のいずれかが当選した場合に、リプレイ（３）〜（８）を回避し、かつリプレイ（２）が入賞することとなる停止順を報知するリプレイナビを実行することが可能であり、リプレイナビが実行されることにより、遊技者はリプレイ（３）〜（８）を回避し、かつリプレイ（２）が入賞することとなる停止順を特定することが可能となり、報知された停止順に従ってリールの停止操作を行なうことでリプレイ（３）〜（８）の入賞を回避してリプレイ（２）を入賞させることが可能となり、ＲＴ（１）への移行を回避し、かつＲＴ（２）へ移行させることができるようになっている。
【手続補正６】
【補正対象書類名】明細書
【補正対象項目名】０２６２
【補正方法】変更
【補正の内容】
【０２６２】
また、本実施例では、ナビ権利１とナビ権利２の双方が当選した場合や、ナビ権利１またはナビ権利２が残っている状態で、他方のナビ権利が当選した場合など、ナビ権利１、ナビ権利２の双方が付与されることがあるが、この場合には、まず有利度の高いナビ権利２に基づいて全報知のリプレイナビを実行し、ナビ権利２が０個となった後、ナビ権利１に基づいて全報知のリプレイナビを実行する。すなわち、まず、遊技者にとって有利度の高いナビ権利２から消化されることとなるため、例えば、遊技の時間が限られている場合であっても遊技者が被る損失を最小限に留めることができる。
【手続補正７】
【補正対象書類名】明細書
【補正対象項目名】０２７１
【補正方法】変更
【補正の内容】
【０２７１】
また、本実施例では、前述のようにＢＢ中にリプレイ（２）が単独で当選した場合、及びＢＢ中でいずれの役も当選しなかった場合（ハズレ）に必ずナビ権利２が付与されるようになっている。
【手続補正８】
【補正対象書類名】明細書
【補正対象項目名】０３４１
【補正方法】変更
【補正の内容】
【０３４１】
また、上記の実施の形態におけるスロットマシンは、以下の技術事項を備えている。
（ａ）  遊技用価値を用いて１ゲームに対して所定数の賭数を設定することによりゲームが開始可能となるとともに、各々が識別可能な複数種類の図柄を変動表示可能な可変表示装置（リール２Ｌ、２Ｃ、２Ｒ）に表示結果が導出されることにより１ゲームが終了し、該可変表示装置に導出された表示結果に応じて入賞が発生可能とされたスロットマシン（スロットマシン１）であって、
特定遊技状態（ＲＴ（０））において有利表示結果（リプレイ（２）の入賞態様）が導出されたときに、該特定遊技状態（ＲＴ（０））よりも遊技者にとって有利な有利遊技状態（ＲＴ（２））に移行させる有利遊技状態移行手段と、
前記可変表示装置に表示結果が導出される前に入賞の発生を許容するか否かを決定する事前決定手段（内部抽選）と、
前記可変表示装置に表示結果を導出させる際に操作される導出操作手段（ストップスイッチ８Ｌ、８Ｃ、８Ｒ）と、
前記事前決定手段の決定結果が前記有利表示結果（リプレイ（２）の入賞態様）の導出を許容する有利決定結果（リプレイＧＲ（１）〜（６））である場合に、前記導出操作手段（ストップスイッチ８Ｌ、８Ｃ、８Ｒ）が複数の操作態様のうち予め定められた複数の導出条件の全てを満たす操作態様（停止順）にて操作された場合に前記有利表示結果（リプレイ（２）の入賞態様）を導出させる制御を行ない、前記導出操作手段（ストップスイッチ８Ｌ、８Ｃ、８Ｒ）の操作態様（停止順）が前記複数の導出条件の１つでも満たさない場合に前記有利表示結果以外の表示結果（リプレイ（３）〜（８）の入賞態様）を導出させる制御を行なう導出制御手段と、
前記特定遊技状態（ＲＴ（０））において前記事前決定手段の決定結果が前記有利決定結果（リプレイＧＲ（１）〜（６））である場合に、前記有利表示結果（リプレイ（２）の入賞態様）の導出条件を特定可能な情報（停止順）を報知する条件報知手段（リプレイナビ）と、
前記条件報知手段を作動させる作動権利（ナビ権利１）を付与する作動権利付与手段と、
前記特定遊技状態（ＲＴ（０））において前記事前決定手段の決定結果が前記有利決定結果（リプレイＧＲ（１）〜（６））である場合に、前記条件報知手段の報知態様として全部報知、一部報知、非報知のいずれかを選択する報知態様選択手段と、
前記作動権利（ナビ権利１）が付与されていない状態では、前記報知態様選択手段が前記全部報知を選択した場合に、前記条件報知手段により前記複数の導出条件の全てを特定可能な情報（第１停止リール、第２停止リール、第３停止リールの全て）を報知させる制御を行ない、前記報知態様選択手段が前記一部報知を選択した場合に、前記条件報知手段により前記複数の導出条件のうちの一部を特定可能な情報（第１停止リール、第２停止リール、第３停止リールの一部）を報知させる制御を行ない、前記報知態様選択手段が前記非報知を選択した場合に、前記条件報知手段による前記導出条件の報知を行なわず、前記作動権利（ナビ権利１）が付与されている状態では、前記報知態様選択手段が前記全部報知を選択した場合に、該作動権利（ナビ権利１）を消費せずに前記条件報知手段により前記複数の導出条件の全てを特定可能な情報（第１停止リール、第２停止リール、第３停止リールの全て）を報知させる制御を行ない、前記報知態様選択手段が前記一部報知を選択した場合または前記非報知を選択した場合に、該作動権利（ナビ権利１）を消費して前記条件報知手段により前記複数の導出条件の全てを特定可能な情報（第１停止リール、第２停止リール、第３停止リールの全て）を報知させる制御を行なう報知制御手段とを備える。
【手続補正９】
【補正対象書類名】明細書
【補正対象項目名】０３４５
【補正方法】変更
【補正の内容】
【０３４５】
（ｂ）  遊技用価値を用いて１ゲームに対して所定数の賭数を設定することによりゲームが開始可能となるとともに、各々が識別可能な複数種類の図柄を変動表示可能な可変表示装置（リール２Ｌ、２Ｃ、２Ｒ）に表示結果が導出されることにより１ゲームが終了し、該可変表示装置に導出された表示結果に応じて入賞が発生可能とされたスロットマシン（スロットマシン１）であって、
特定遊技状態（ＲＴ（０））において不利表示結果（リプレイ（３）〜（８）の入賞態様）が導出されたときに、該特定遊技状態（ＲＴ（０））よりも遊技者にとって不利な不利遊技状態（ＲＴ（１））に移行させる不利遊技状態移行手段と、
前記可変表示装置に表示結果が導出される前に入賞の発生を許容するか否かを決定する事前決定手段（内部抽選）と、
前記可変表示装置に表示結果を導出させる際に操作される導出操作手段（ストップスイッチ８Ｌ、８Ｃ、８Ｒ）と、
前記事前決定手段の決定結果が前記不利表示結果の導出を許容する不利決定結果（リプレイＧＲ（１）〜（６））である場合に、前記導出操作手段（ストップスイッチ８Ｌ、８Ｃ、８Ｒ）が複数の操作態様のうち予め定められた複数の回避条件の全てを満たす操作態様（停止順）にて操作された場合に前記不利表示結果以外の表示結果（リプレイ（２）の入賞態様）を導出させる制御を行ない、前記導出操作手段（ストップスイッチ８Ｌ、８Ｃ、８Ｒ）の操作態様（停止順）が前記複数の回避条件の１つでも満たさない場合に前記不利表示結果（リプレイ（３）〜（８）の入賞態様）を導出させる制御を行なう導出制御手段と、
前記特定遊技状態（ＲＴ（０））において前記事前決定手段の決定結果が前記不利決定結果（リプレイＧＲ（１）〜（６））である場合に、前記不利表示結果（リプレイ（３）〜（８）の入賞態様）の回避条件を特定可能な情報（停止順）を報知する条件報知手段（リプレイナビ）と、
前記条件報知手段を作動させる作動権利（ナビ権利１）を付与する作動権利付与手段と、
前記特定遊技状態（ＲＴ（０））において前記事前決定手段の決定結果が前記不利決定結果（リプレイＧＲ（１）〜（６））である場合に、前記条件報知手段の報知態様として全部報知、一部報知、非報知のいずれかを選択する報知態様選択手段と、
前記作動権利（ナビ権利１）が付与されていない状態では、前記報知態様選択手段が前記全部報知を選択した場合に、前記条件報知手段により前記複数の回避条件の全てを特定可能な情報（第１停止リール、第２停止リール、第３停止リールの全て）を報知させる制御を行ない、前記報知態様選択手段が前記一部報知を選択した場合に、前記条件報知手段により前記複数の回避条件のうちの一部を特定可能な情報（第１停止リール、第２停止リール、第３停止リールの一部）を報知させる制御を行ない、前記報知態様手段が前記非報知を選択した場合に、前記条件報知手段による前記回避条件の報知を行なわず、前記作動権利（ナビ権利１）が付与されている状態では、前記報知態様選択手段が前記全部報知を選択した場合に、該作動権利（ナビ権利１）を消費せずに前記条件報知手段により前記複数の回避条件の全てを特定可能な情報（第１停止リール、第２停止リール、第３停止リールの全て）を報知させる制御を行ない、前記報知態様選択手段が前記一部報知を選択した場合または前記非報知を選択した場合に、該作動権利（ナビ権利１）を消費して前記条件報知手段により前記複数の回避条件の全てを特定可能な情報（第１停止リール、第２停止リール、第３停止リールの全て）を報知させる制御を行なう報知制御手段とを備える。